(57)【特許請求の範囲】
【請求項１】
音信号を出力する音出力部と、
脈拍センサを備えたイヤホンと接続可能なイヤホンジャックと、
近接センサと、
着信時に前記イヤホンが前記イヤホンジャックに接続され且つ前記脈拍センサによって脈拍が検出される場合に、前記イヤホンジャックを通じて前記イヤホンへ音信号を出力し、着信時に前記イヤホンが前記イヤホンジャックに接続され且つ前記脈拍センサによって脈拍が検出されない場合に、前記音出力部から音信号を出力する音出力制御部と、
を備え、
前記音出力部は、
レシーバと、
前記レシーバよりも大きい音が出力可能なスピーカとを含み、
前記音出力制御部は、
前記脈拍センサによって脈拍が検出されない場合且つ前記近接センサで物体が検出された場合は前記レシーバから着信音を出力し、前記脈拍センサによって脈拍が検出されない場合且つ前記近接センサで物体が検出されない場合は前記スピーカから着信音を出力する、
携帯端末。
【請求項２】
音信号を出力する音出力部と、
脈拍センサを備えたイヤホンと接続可能なイヤホンジャックと、
近接センサと、
着信時に前記イヤホンが前記イヤホンジャックに接続され且つ前記脈拍センサによって脈拍が検出される場合に、前記イヤホンジャックを通じて前記イヤホンへ音信号を出力し、着信時に前記イヤホンが前記イヤホンジャックに接続され且つ前記脈拍センサによって脈拍が検出されない場合に、前記音出力部から音信号を出力する音出力制御部と、
を備え、
前記音出力部は、
レシーバと、
前記レシーバよりも大きい音が出力可能なスピーカとを含み、
前記音出力制御部は、
ユーザによって着信時の出力先が携帯端末固定に設定されている場合且つ前記近接センサで物体が検出された場合に前記レシーバから着信音を出力し、
ユーザによって着信時の出力先が携帯端末固定に設定されている場合且つ前記近接センサで物体が検出されない場合に前記スピーカから着信音を出力し、
ユーザによって着信時の出力先がイヤホン固定に設定されている場合に前記イヤホンジャックを通じて前記イヤホンへ着信音を出力し、
ユーザによって着信時の出力先が可変に設定されている場合且つ前記脈拍センサによって脈拍が検出される場合に、前記イヤホンジャックを通じて前記イヤホンへ着信音を出力し、
ユーザによって着信時の出力先が可変に設定されている場合且つ前記脈拍センサによって脈拍が検出されない場合且つ前記近接センサで物体が検出された場合に前記レシーバから着信音を出力し、
ユーザによって着信時の出力先が可変に設定されている場合且つ前記脈拍センサによって脈拍が検出されない場合且つ前記近接センサで物体が検出されない場合に前記スピーカから着信音を出力する、
携帯端末。
【発明の詳細な説明】
【技術分野】
【０００１】
本発明は、携帯端末に関し、特に音の出力先が切替可能な携帯端末に関する。
【背景技術】
【０００２】
従来から、情報再生装置において、イヤホンやヘッドホンを装着していない場合に再生動作などを停止する技術が知られている。
【０００３】
たとえば、特許文献１（特開２０００−１８２３１０号公報）には、次のようなシステムが開示されている。
【０００４】
ヘッドホンに温度センサや赤外線センサなどを設け、センサ出力を情報再生装置本体に送出する。情報再生装置本体では，センサ出力に基づいてヘッドホンが装着されているか否かを判断し，例えばヘッドホンが装着されていない場合には音量を下げたり、或いは再生動作を一時停止させるなどの省電力制御を行う。
【先行技術文献】
【特許文献】
【０００５】
【特許文献１】特開２０００−１８２３１０号公報
【発明の概要】
【発明が解決しようとする課題】
【０００６】
しかしながら、温度センサによってイヤホンの装着を検出する場合には、ポケットの中に入れた際に温められて誤検出する可能性がある。また、赤外線センサ（近接センサ）によってイヤホンの装着を検出する場合も、鞄やポケットの中で誤検出する可能性がある。
【０００７】
さらに、情報再生装置においては、誤検出の弊害が比較的小さいが、携帯端末において、着信時または通話時のイヤホンの装着の検出を誤ると、着信音または通話時の相手の音声を聞き逃す場合があり、弊害が大きい。
【０００８】
たとえば、イヤホンの装着状態に応じて、イヤホンに音声を出力するか、携帯端末側のスピーカまたはレシーバに音声を出力するかを切り替えているような場合に、イヤホンの装着状態の検出を誤ると、ユーザは、着信音または通話時の相手側の音声を聞きとることができなくなる。なぜなら、イヤホンを装着していないにも関わらず、イヤホンから着信音または通話時の音声を出力しても、ユーザはそれらを聞き取ることが難しいからである。同様に、イヤホンを装着しているときに、スピーカやレシーバから着信音または通話時の音声を出力しても、ユーザはそれらを正しく聞き取ることが困難である。
【０００９】
それゆえに、本発明の目的は、イヤホンの装着状態を正しく検出することによって、着信音および通話中の相手側の音声の出力先を適切に切り替えることができる携帯端末を提供することである。
【課題を解決するための手段】
【００１０】
本発明の一態様の携帯端末は、音信号を出力する音出力部と、脈拍センサを備えたイヤホンと接続可能なイヤホンジャックと、着信時および通話中において、脈拍センサによって脈拍が検出されるときに、イヤホンジャックを通じてイヤホンへ音信号を出力し、脈拍センサによって脈拍が検出されないときに、音出力部から音信号を出力する音出力制御部とを備える。
【発明の効果】
【００１１】
本発明の一態様によれば、イヤホンの装着状態を正しく検出することによって、着信音および通話中の相手側の音声の出力先を適切に切り替えることができる。
【図面の簡単な説明】
【００１２】
【図１】本実施の形態の携帯端末の構成を表わす図である。
【図２】本実施の形態における携帯端末の外観を示す正面図である。
【図３】本実施の形態における携帯端末の外観を示す背面図である。
【図４】本実施の形態のイヤホンの構成を表わす図である。
【図５】本実施の形態のイヤホンの外観を表わす図である。
【図６】本実施の形態のイヤホンの左イヤーパッドの外観を表わす図である。
【図７】脈拍の検出判定を説明するための図である。
【図８】第１の実施形態における音の出力先の設定手順を示すフローチャートである。
【図９】第１の実施形態における音の出力先の設定画面を表わす図である。
【図１０】本実施の形態におけるイヤホンのイヤホン装着検出手順を示すフローチャートである。
【図１１】第１の実施形態における音の出力制御の手順を示すフローチャートである。
【図１２】第２の実施形態における音の出力先の設定手順を示すフローチャートである。
【図１３】第２の実施形態における音の出力先の設定画面を表わす図である。
【図１４】第２の実施形態における音の出力制御の手順を示すフローチャートである。
【発明を実施するための形態】
【００１３】
以下、本実施の形態について図面を用いて説明する。
［第１の実施形態］
図１は、本実施の形態の携帯端末１の構成を表わす図である。図２および図３は、携帯端末の外観を表わす正面図および背面図である。
【００１４】
図１に示すように、携帯端末１は、アンテナ２と、バッテリ３と、無線処理部４と、ＬＣＤ（Liquid Crystal Display）５と、タッチパネル６と、電力制御部７と、メモリ８と、ＣＰＵ（Central Processing Unit）９と、コーデック１０と、スピーカ１２と、レシーバ１３と、マイク１４と、イヤホンジャック１５と、加速度センサ１７と、方位センサ１８と、近接センサ１６とを備える。
【００１５】
アンテナ２は、基地局からの無線信号を受信可能に構成されるとともに、基地局への無線信号を送信可能に構成される。
【００１６】
バッテリ３は、充電した電力を携帯端末１の構成要素に供給する。
無線処理部４は、アンテナ２へ無線信号を送信可能に構成されるとともに、アンテナ２からの無線信号を受信可能に構成される。
【００１７】
ＬＣＤ５は、ＣＰＵ９から出力される画像を表示する。
タッチパネル６は、ユーザによる操作入力を受け付ける。
【００１８】
電力制御部７は、バッテリ３からの電力の供給を制御する。
メモリ８は、各種のデータおよびプログラムを記憶する。
【００１９】
イヤホンジャック１５は、５極のイヤホンプラグ５２と接続可能である。
ＣＰＵ９は、携帯端末１全体を制御する。
【００２０】
ＣＰＵ９は、また音出力制御部８８およびイヤホン接続検出部８９として機能する。
イヤホン接続検出部８９は、イヤホン５１のイヤホンプラグ５２（後述する）に携帯端末１のイヤホンジャック１５に完全に挿入されたかどうかを検出することによって、イヤホン５１とイヤホンジャック１５との接続の有無を検出する。
【００２１】
コーデック１０は、スピーカ１２、レシーバ１３またはイヤホンジャック１５へ出力する音信号を復号化する。コーデック１０は、マイク１４またはイヤホンジャック１５から送られる音信号を符号化する。本明細書において、音は、ユーザまたは通話相手先の音声、着信音などの携帯電話１によって生成された音の両方を含むものとする。
【００２２】
レシーバ１３は、音を出力する。
スピーカ１２は、ハンズフリー時に外部に音を出力する。スピーカ１２は、レシーバ１３よりも大きな音を出力することが可能である。
【００２３】
マイク１４は、外部の音信号を受ける。
加速度センサ１７は、Ｘ、Ｙ、Ｚの３軸方向の加速度データを出力する。
【００２４】
方位センサ１８は、方位を示すデータを出力する。
近接センサ１６は、超音波、ミリ波、マイクロ波などを利用した素子である。近接センサ１６は、物体が近接または接触していることを検出したときにはオンとなる。近接センサ１６は、物体が近接していることを検出しないときにはオフとなる。つまり、ユーザが携帯端末１を保持して、携帯端末１を耳に近接または接触させたときには、近接センサ１６はオンとなる。
【００２５】
図４は、本実施の形態のイヤホン５１の構成を表わす図である。図５は、イヤホン５１の外観を表わす図である。
【００２６】
図４および図５を参照して、イヤホン５１は、イヤホンプラグ５２と、中継器５３と、左イヤーパッド５４と、右イヤーパッド５５とを備える。
【００２７】
イヤホンプラグ５２は、携帯端末１のイヤホンジャック１５と接続可能である。イヤホンプラグ５２は、電源端子（Ｖ）と、左音端子（Ｌ）と、右音端子（Ｒ）と、マイク端子（Ｍ）と、グランド端子（ＧＮＤ）とを備える。
【００２８】
アンプ５８は、信号線Ｖを通じて電源電圧を受電し、信号線Ｌを通じて左イヤーパッド５４への左音信号を受信し、信号線Ｒを通じて右イヤーパッド５５への右音信号を受信する。アンプ５８は、左音信号と右音信号の差を増幅して、左音信号を圧電素子６２へ供給し、右音信号を圧電素子６４へ供給する。
【００２９】
マイク６０は、入力される音信号をマイコン５９およびスイッチ５６へ供給する。
スイッチ５６は、マイコン５９からの制御信号、またはマイク６０からの音信号を選択して、選択した信号を信号線Ｍを通じてイヤホンプラグ５２へ供給する。
【００３０】
ＧＮＤ５７は、グランド電圧を信号線Ｇを通じてイヤホンプラグ５２へ送電または受電する。
【００３１】
左イヤーパッド５４は、圧電素子６２を備える。圧電素子６２は、アンプ５８から供給される左音信号の大きさに応じて、振動する。
【００３２】
右イヤーパッド５５は、圧電素子６４を備える。圧電素子６４は、アンプ５８から供給される右音信号の大きさに応じて、振動する。
【００３３】
図６は、本実施の形態のイヤホン５１の左イヤーパッド５４の外観を表わす図である。右イヤーパッド５５の構成も、これと同様である。
【００３４】
図６に示すように、ケース３３の内部に収容された圧電素子６２は、ケーブル３４を通じて送られる左音信号に従って振動する。この振動は、振動板３２に伝わる。振動板３２が振動することによって、筐体３６が振動する。筐体３６の振動がユーザの外耳道の骨および左イヤーバッド５４内の外部と外耳道との間の通路３９の空気を振動させて、この振動がユーザの鼓膜に伝わる。
【００３５】
右イヤーパッド５５は、さらに、脈拍センサ６５を備える。
脈拍センサ６５は、赤外線を受光するＰＤ（Photo Diode）６６と、赤外線を出力するＬＥＤ６７とを備える。
【００３６】
図７は、脈拍の検出判定を説明するための図である。
ＬＥＤ６７とＰＤ６６は、外耳の皮膚に向けられるようにイヤホン５１がユーザの耳に装着される。ＬＥＤ６７から送信された送信波は、外耳体内で反射し、ＰＤ６６によって受信波として受信される。外耳の皮膚の下には、血管があり、血液が流れている。脈拍によって血管が収縮することで、赤外線の吸収量が変わる。つまり体内での赤外線の反射量が変わり、受信波の周期が脈拍の周期と同じになる。マイコン５９内のマイコン５９は、ＰＤ６６によって受信された受信波が周期的に変化する場合に、脈拍が検出されたと判定する。
【００３７】
図８は、第１の実施形態における音の出力先の設定手順を示すフローチャートである。
図８を参照して、ステップＳ１０１において、音出力制御部８８は、図９に示すような音の出力先設定画面をＬＣＤ５に表示する。
【００３８】
ユーザが、タッチパネル６を通じて、着信時の出力先として“スピーカ固定”を選択した場合に（ステップＳ１０２：ＹＥＳ）、処理がステップＳ１０３に進む。
【００３９】
ステップＳ１０３において、音出力制御部８８は、着信時の出力先フラグを“スピーカ固定”に設定する。
【００４０】
ユーザが、タッチパネル６を通じて、着信時の出力先として“イヤホンの装着状態に応じて可変”を選択した場合に（ステップＳ１０２：ＮＯ、かつステップＳ１０４：ＹＥＳ）、処理がステップＳ１０５に進む。
【００４１】
ステップＳ１０５において、音出力制御部８８は、着信時の出力先フラグを“スピーカ／イヤホン可変”に設定する。
【００４２】
ユーザが、タッチパネル６を通じて、着信時の出力先として“イヤホン固定”を選択した場合に（ステップＳ１０２：ＮＯ、かつステップＳ１０４：ＮＯ）、処理がステップＳ１０６に進む。
【００４３】
ステップＳ１０６において、音出力制御部８８は、着信時の出力先フラグを“イヤホン固定”に設定する。
【００４４】
ユーザが、タッチパネル６を通じて、通話中の出力先として“レシーバ固定”を選択した場合に（ステップＳ１０７：ＹＥＳ）、処理がステップＳ１０８に進む。
【００４５】
ステップＳ１０８において、音出力制御部８８は、通話中の出力先フラグを“レシーバ固定”に設定する。
【００４６】
ユーザが、タッチパネル６を通じて、通話中の出力先として“イヤホンの装着状態に応じて可変”を選択した場合に（ステップＳ１０７：ＮＯ、かつステップＳ１０９：ＹＥＳ）、処理がステップＳ１１０に進む。
【００４７】
ステップＳ１１０において、音出力制御部８８は、通話中の出力先フラグを“レシーバ／イヤホン可変”に設定する。
【００４８】
ユーザが、タッチパネル６を通じて、通話中の出力先として“イヤホン固定”を選択した場合に（ステップＳ１０７：ＮＯ、かつステップＳ１０９：ＮＯ）、処理がステップＳ１１１に進む。
【００４９】
ステップＳ１１１において、音出力制御部８８は、通話中の出力先フラグを“イヤホン固定”に設定する。
【００５０】
図９の例では、着信時の出力先フラグが“スピーカ固定”に設定され、通話中の出力先フラグが“イヤホンの装着状態に応じて可変”に設定される。
【００５１】
図１０は、本実施の形態におけるイヤホンのイヤホン装着検出手順を示すフローチャートである。
【００５２】
マイコン５９が、脈拍センサ６５から出力される赤外線の反射信号から脈拍を検出できた場合に（ステップＳ３０１：ＹＥＳ）、処理がステップＳ３０２に進む。
【００５３】
ステップＳ３０２において、マイコン５９は、イヤホン装着検出フラグをイヤホンが耳に装着されていることを表わす“イヤホン装着”に設定する。
【００５４】
マイコン５９が、脈拍センサ６５から出力される赤外線の反射信号から脈拍を検出できなかった場合に（ステップＳ３０１：ＮＯ）、処理がステップＳ３０３に進む。
【００５５】
ステップＳ３０３において、マイコン５９は、イヤホン装着検出フラグをイヤホンが耳に装着されていないことを表わす“イヤホン非装着”に設定する。
【００５６】
イヤホン装着検出フラグの状態が変化したときに（ステップＳ３０４：ＹＥＳ）、マイコン５９は、スイッチ５６、信号線Ｍ、イヤホンプラグ５２を通じて、携帯端末１へイヤホン装着状態が変化したことを表わす信号、イヤホン装着へ変化したかあるいはイヤホン非装着へ変化したかを表わす信号を送信する。
【００５７】
図１１は、第１の実施形態における音の出力制御の手順を示すフローチャートである。
まず、イヤホン接続検出部８９が、イヤホンジャック１５にイヤホンプラグ５１が接続されたことを検出し、かつ音出力制御部８８が、イヤホンジャック１５、およびコーデック１０を通じて、イヤホン装着状態が変化したことを表わす信号を受信した場合には（ステップＳ２０１：ＹＥＳ）、処理がステップＳ２０２に進む。
【００５８】
音出力制御部８８が、イヤホンジャック１５、およびコーデック１０を通じて、イヤホン装着へ変化したことを表わす信号を受信した場合には（ステップＳ２０２：ＹＥＳ）、イヤホン装着状態フラグをイヤホンが耳に装着されていることを表わす“イヤホン装着”に設定する（ステップＳ２０３）。
【００５９】
音出力制御部８８が、イヤホンジャック１５、およびコーデック１０を通じて、イヤホン非装着へ変化したことを表わす信号を受信した場合には（ステップＳ２０２：ＮＯ）、イヤホン装着状態フラグをイヤホンが耳に装着されていないことを表わす“イヤホン非装着”に設定する（ステップＳ２０４）。
【００６０】
メールまたは電話の着信時において（ステップＳ２０５：ＹＥＳ）、着信時の出力先フラグが“スピーカ／イヤホン可変”に設定されており（ステップＳ２０６：ＹＥＳ）、かつイヤホン装着状態フラグが“イヤホン装着”に設定されている（ステップＳ２０７：ＹＥＳ）場合には、処理がステップＳ２０８に進む。
【００６１】
メールまたは電話の着信時において（ステップＳ２０５：ＹＥＳ）、着信時の出力先フラグが“スピーカ／イヤホン可変”に設定されており（ステップＳ２０６：ＹＥＳ）、かつイヤホン装着状態フラグが“イヤホン非装着”に設定されている（ステップＳ２０７：ＮＯ）場合には、処理がステップＳ２１０に進む。
【００６２】
メールまたは電話の着信時において（ステップＳ２０５：ＹＥＳ）、着信時の出力先フラグが“イヤホン固定”に設定されている（ステップＳ２０９：ＹＥＳ）場合には、処理がステップＳ２０８に進む。
【００６３】
メールまたは電話の着信時において（ステップＳ２０５：ＹＥＳ）、着信時の出力先フラグが“スピーカ固定”に設定されている（ステップＳ２０９：ＮＯ）場合には、処理がステップＳ２１０に進む。
【００６４】
ステップＳ２０８において、音出力制御部８８は、コーデック１０、イヤホンジャック１５を通じて、着信を知らせる音信号（着信音）をイヤホン５１へ出力する。イヤホン５１側では、アンプ５８が、イヤホンプラグ５２、左音信号線Ｌおよび右音信号線Ｒを通じて着信を知らせる音信号を受信し、受信した音信号を増幅して、増幅した音信号を左イヤーパッド５４の圧電素子６２および右イヤーパッド５５の圧電素子６４に出力する。
【００６５】
ステップＳ２１０において、音出力制御部８８は、コーデック１０を通じてスピーカ１２に着信を知らせる音信号を出力する。
【００６６】
通話中において（ステップＳ２１１：ＹＥＳ）、通話中の出力先フラグが“レシーバ／イヤホン可変”に設定されており（ステップＳ２１２：ＹＥＳ）、かつイヤホン装着状態フラグが“イヤホン装着”に設定されている（ステップＳ２１３：ＹＥＳ）場合には、処理がステップＳ２１４に進む。
【００６７】
通話中において（ステップＳ２１１：ＹＥＳ）、通話中の出力先フラグが“レシーバ／イヤホン可変”に設定されており（ステップＳ２１２：ＹＥＳ）、かつイヤホン装着状態フラグが“イヤホン非装着”に設定されている（ステップＳ２１３：ＮＯ）場合には、処理がステップＳ２１６に進む。
【００６８】
通話中において（ステップＳ２１１：ＹＥＳ）、通話中の出力先フラグが“イヤホン固定”に設定されている（ステップＳ２１５：ＹＥＳ）場合には、処理がステップＳ２１４に進む。
【００６９】
通話中において（ステップＳ２１１：ＹＥＳ）、通話中の出力先フラグが“レシーバ固定”に設定されている（ステップＳ２１５：ＮＯ）場合には、処理がステップＳ２１６に進む。
【００７０】
ステップＳ２１４において、音出力制御部８８は、コーデック１０、イヤホンジャック１５を通じて、通話中に相手から受信した音信号（通話相手の音声の信号）をイヤホン５１へ出力する。イヤホン５１側では、アンプ５８が、イヤホンプラグ５２、左音信号線Ｌおよび右音信号線Ｒを通じて通話中に相手から受信した音信号を受信し、受信した音信号を増幅して、増幅した音信号を左イヤーパッド５４の圧電素子６２および右イヤーパッド５５の圧電素子６４に出力する。
【００７１】
ステップＳ２１６において、音出力制御部８８は、コーデック１０を通じてレシーバ１３に通話中に相手から受信した音信号を出力する。
【００７２】
以上のように、本実施の形態によれば、イヤホンに設けられた脈拍センサを用いることによってイヤホンの装着状態を正しく検出することができる。イヤホンが装着されていることが検出されたときには、イヤホンから着信音および通話中の相手側の音声を出力し、イヤホンが装着されていないことが検出されたときには、スピーカまたはレシーバから着信音および通話中の相手側の音声を出力するので、ユーザが着信音および通話中の相手側の音声を聞き逃すのを防止することができる。
【００７３】
［第２の実施形態］
図１２は、第２の実施形態における音の出力先の設定手順を示すフローチャートである。
【００７４】
図１２を参照して、ステップＳ４０１において、音出力制御部８８は、図１３に示すような音の出力先設定画面をＬＣＤ５に表示する。
【００７５】
ユーザが、タッチパネル６を通じて、着信時の出力先として“携帯端末固定”を選択した場合に（ステップＳ４０２：ＹＥＳ）、処理がステップＳ４０３に進む。
【００７６】
ステップＳ４０３において、音出力制御部８８は、着信時の出力先フラグを“携帯端末固定”に設定する。
【００７７】
ユーザが、タッチパネル６を通じて、着信時の出力先として“イヤホンの装着状態に応じて可変”を選択した場合に（ステップＳ４０２：ＮＯ、かつステップＳ４０４：ＹＥＳ）、処理がステップＳ４０５に進む。
【００７８】
ステップＳ４０５において、音出力制御部８８は、着信時の出力先フラグを“携帯端末／イヤホン可変”に設定する。
【００７９】
ユーザが、タッチパネル６を通じて、着信時の出力先として“イヤホン固定”を選択した場合に（ステップＳ４０２：ＮＯ、かつステップＳ４０４：ＮＯ）、処理がステップＳ４０６に進む。
【００８０】
ステップＳ４０６において、音出力制御部８８は、着信時の出力先フラグを“イヤホン固定”に設定する。
【００８１】
ユーザが、タッチパネル６を通じて、通話中の出力先として“携帯端末固定”を選択した場合に（ステップＳ４０７：ＹＥＳ）、処理がステップＳ４０８に進む。
【００８２】
ステップＳ４０８において、音出力制御部８８は、通話中の出力先フラグを“携帯端末固定”に設定する。
【００８３】
ユーザが、タッチパネル６を通じて、通話中の出力先として“イヤホンの装着状態に応じて可変”を選択した場合に（ステップＳ４０７：ＮＯ、かつステップＳ４０９：ＹＥＳ）、処理がステップＳ４１０に進む。
【００８４】
ステップＳ４１０において、音出力制御部８８は、通話中の出力先フラグを“携帯端末／イヤホン可変”に設定する。
【００８５】
ユーザが、タッチパネル６を通じて、通話中の出力先として“イヤホン固定”を選択した場合に（ステップＳ４０７：ＮＯ、かつステップＳ４０９：ＮＯ）、処理がステップＳ４１１に進む。
【００８６】
ステップＳ４１１において、音出力制御部８８は、通話中の出力先フラグを“イヤホン固定”に設定する。
【００８７】
図１３の例では、着信時の出力先フラグが“イヤホンの装着状態に応じて可変”に設定され、通話中の出力先フラグが“携帯端末固定”に設定される。
【００８８】
図１４は、第２の実施形態における音の出力制御の手順を示すフローチャートである。
まず、イヤホン接続検出部８９が、イヤホンジャック１５にイヤホンプラグ５１が接続されたことを検出し、かつ音出力制御部８８が、イヤホンジャック１５、およびコーデック１０を通じて、イヤホン装着状態が変化したことを表わす信号を受信した場合には（ステップＳ５０１：ＹＥＳ）、処理がステップＳ５０２に進む。
【００８９】
音出力制御部８８が、イヤホンジャック１５、およびコーデック１０を通じて、イヤホン装着へ変化したことを表わす信号を受信した場合には（ステップＳ５０２：ＹＥＳ）、イヤホン装着状態フラグをイヤホンが耳に装着されていることを表わす“イヤホン装着”に設定する（ステップＳ５０３）。
【００９０】
音出力制御部８８が、イヤホンジャック１５、およびコーデック１０を通じて、イヤホン非装着へ変化したことを表わす信号を受信した場合には（ステップＳ５０２：ＮＯ）、イヤホン装着状態フラグをイヤホンが耳に装着されていないことを表わす“イヤホン非装着”に設定する（ステップＳ５０４）。
【００９１】
メールまたは電話の着信時において（ステップＳ５０５：ＹＥＳ）、着信時の出力先フラグが“携帯端末／イヤホン可変”に設定されており（ステップＳ５０６：ＹＥＳ）、かつイヤホン装着状態フラグが“イヤホン装着”に設定されている（ステップＳ５０７：ＹＥＳ）場合には、処理がステップＳ５０８に進む。
【００９２】
メールまたは電話の着信時において（ステップＳ５０５：ＹＥＳ）、着信時の出力先フラグが“携帯端末／イヤホン可変”に設定されており（ステップＳ５０６：ＹＥＳ）、かつイヤホン装着状態フラグが“イヤホン非装着”に設定されている（ステップＳ５０７：ＮＯ）場合には、処理がステップＳ５１０に進む。
【００９３】
メールまたは電話の着信時において（ステップＳ５０５：ＹＥＳ）、着信時の出力先フラグが“イヤホン固定”に設定されている（ステップＳ５０９：ＹＥＳ）場合には、処理がステップＳ５０８に進む。
【００９４】
メールまたは電話の着信時において（ステップＳ５０５：ＹＥＳ）、着信時の出力先フラグが“携帯端末固定”に設定されている（ステップＳ５０９：ＮＯ）場合には、処理がステップＳ５１０に進む。
【００９５】
ステップＳ５０８において、音出力制御部８８は、コーデック１０、イヤホンジャック１５を通じて、着信を知らせる音信号をイヤホン５１へ出力する。イヤホン５１側では、アンプ５８が、イヤホンプラグ５２、左音信号線Ｌおよび右音信号線Ｒを通じて着信を知らせる音信号を受信し、受信した音信号を増幅して、増幅した音信号を左イヤーパッド５４の圧電素子６２および右イヤーパッド５５の圧電素子６４に出力する。
【００９６】
ステップＳ５１０において、近接センサ１６がオン（物体の近接を検出）の場合には（Ｓ５１０：ＹＥＳ）、音出力制御部８８は、コーデック１０を通じてレシーバ１３に着信を知らせる音信号を出力する（ステップＳ５１１）。
【００９７】
ステップＳ５１０において、近接センサ１６がオフの場合には（Ｓ５１０：ＮＯ）、音出力制御部８８は、コーデック１０を通じてスピーカ１２に着信を知らせる音信号を出力する（ステップＳ５１２）。
【００９８】
通話中において（ステップＳ５１３：ＹＥＳ）、通話中の出力先フラグが“携帯端末／イヤホン可変”に設定されており（ステップＳ５１４：ＹＥＳ）、かつイヤホン装着状態フラグが“イヤホン装着”に設定されている（ステップＳ５１５：ＹＥＳ）場合には、処理がステップＳ５１６に進む。
【００９９】
通話中において（ステップＳ５１３：ＹＥＳ）、通話中の出力先フラグが“携帯端末／イヤホン可変”に設定されており（ステップＳ５１４：ＹＥＳ）、かつイヤホン装着状態フラグが“イヤホン非装着”に設定されている（ステップＳ５１５：ＮＯ）場合には、処理がステップＳ５１８に進む。
【０１００】
通話中において（ステップＳ５１３：ＹＥＳ）、通話中の出力先フラグが“イヤホン固定”に設定されている（ステップＳ５１７：ＹＥＳ）場合には、処理がステップＳ５１６に進む。
【０１０１】
通話中において（ステップＳ５１３：ＹＥＳ）、通話中の出力先フラグが“携帯端末固定”に設定されている（ステップＳ５１７：ＮＯ）場合には、処理がステップＳ５１８に進む。
【０１０２】
ステップＳ５１６において、音出力制御部８８は、コーデック１０、イヤホンジャック１５を通じて、通話中に相手から受信した音信号をイヤホン５１へ出力する。イヤホン５１側では、アンプ５８が、イヤホンプラグ５２、左音信号線Ｌおよび右音信号線Ｒを通じて通話中に相手から受信した音信号を受信し、受信した音信号を増幅して、増幅した音信号を左イヤーパッド５４の圧電素子６２および右イヤーパッド５５の圧電素子６４に出力する。
【０１０３】
ステップＳ５１８において、近接センサ１６がオン（物体の近接を検出）の場合には（Ｓ５１８：ＹＥＳ）、音出力制御部８８は、コーデック１０を通じてレシーバ１３に通話中に相手から受信した音信号を出力する（ステップＳ５１９）。
【０１０４】
ステップＳ５１８において、近接センサ１６がオフの場合には（Ｓ５１８：ＮＯ）、音出力制御部８８は、コーデック１０を通じてスピーカ１２に通話中に相手から受信した音信号を出力する（ステップＳ５２０）。
【０１０５】
以上のように、本実施の形態によれば、第１の実施形態と同様に、イヤホンに設けられた脈拍センサを用いることによってイヤホンの装着状態を正しく検出し、検出結果によって、着信音および通話中の相手の音声の出力先をイヤホンまたは携帯端末に適切に切り替えることができる。さらに、本実施の形態によれば、携帯端末に音声を出力する場合に、近接センサによってユーザが携帯端末を耳に近接または接触させているかどうかを検出し、検出結果によって、音声の出力先をスピーカまたはレシーバに適切に切り替えることができる。
【０１０６】
（変形例）
本実施の形態は、上記の実施形態に限定されるものではなく、たとえば以下のような変形例も含む。
【０１０７】
（１）イヤホンと携帯端末の間の通信
本実施の形態では、イヤホンと携帯端末との間の通信が、イヤホンプラグ、イヤホンジャックおよび信号線を用いて行われるものとしたが、これに限定するものではなく、Bluetooth（登録商標）で行われるものとしてもよい。
【０１０８】
（２）イヤホンの音出力部
本実施の形態では、イヤホンが圧電素子を備えるものとしたが、圧電素子の代わりに、電磁式スピーカを備えるものとしてもよい。
【０１０９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１０】
１  携帯端末、２  アンテナ、３  バッテリ、４  無線処理部、５  ＬＣＤ、６  タッチパネル、７  電力制御部、８  メモリ、９  ＣＰＵ、１０，９７  コーデック、１２  スピーカ、１３  レシーバ、１４  マイク、１５  イヤホンジャック、１６  近接センサ、１７  加速度センサ、１８  方位センサ、５１  イヤホン、５２  イヤホンプラグ、５３  中継器、５４  左イヤーバッド、５５  右イヤーパッド、５６  スイッチ、５７  グランド電源、５８  アンプ、５９  マイコン、６０，マイク、６１  ＡＤＣ、６２，６４  圧電素子、６５  脈拍センサ、６６  ＰＤ、６７  ＬＥＤ、８１，８３  スピーカ、８８  音出力制御部、９２  アンテナ、９３  Bluetooth（登録商標）、９４  電池、３２  振動板、３３  ケース、３４  ケーブル、３６  筐体、８９  イヤホン接続検出部。
【図１】
0006285836.tif 000002
【図２】
0006285836.tif 000003
【図３】
0006285836.tif 000004
【図４】
0006285836.tif 000005
【図５】
0006285836.tif 000006
【図６】
0006285836.tif 000007
【図７】
0006285836.tif 000008
【図８】
0006285836.tif 000009
【図９】
0006285836.tif 000010
【図１０】
0006285836.tif 000011
【図１１】
0006285836.tif 000012
【図１２】
0006285836.tif 000013
【図１３】
0006285836.tif 000014
【図１４】
0006285836.tif 000015